(57)【要約】【課題】表示するエラーメッセージにより、ユーザに不快感を与えること無く受信機状態をユーザにより詳細に理解させ、またユーザに受信機復帰動作を簡単に移行させる。【解決手段】ＢＳデジタル放送及び地上デジタル放送を選択受信するデジタル放送受信機において、制御部２３は、現在のチャンネル選局時に受信信号レベルエラーを検出したときは、情報蓄積部３１に保存されていた全ての選局データについて選局動作を行い、その時に得られる日時データ、環境情報データ、信号レベルからなる選局データを情報蓄積部３１に新たに保存する。制御部２３は、情報蓄積部３１の信号レベルエラー検出前の第１の選局データと検出後の第２の選局データとを解析し、そのデータ解析結果に応じて受信信号レベルの詳細な状態、対処方法を示す内容のエラーメッセージを付加情報生成部２４に生成させ、それをモニタに表示させる。【選択図】図１
2009188843.tif 000002
【特許請求の範囲】
【請求項１】
所望のチャンネルのデジタル放送を受信する選局手段と、
前記選局手段で選局したチャンネルのデジタル放送信号の信号レベルを検出する信号レベル検出手段と、
前記選局手段で選局したチャンネルのデジタル放送信号をデコードして得た情報から、受信した日時データ及び環境情報データを取得するデータ取得手段と、
前記選局手段によるデジタル放送選局時に、前記信号レベル検出手段により検出した信号レベルと、前記データ取得手段で取得した前記日時データ及び環境情報データと、選局したチャンネルのデジタル放送種別と中継局とをそれぞれ対応させた第１の選局データを情報蓄積部に蓄積する第１の情報蓄積手段と、
前記信号レベル検出手段により検出した前記信号レベルが、所定の値の受信可能レベル未満である信号レベルエラーであるかを検出する信号レベルエラー検出手段と、
前記信号レベルエラー検出時に、信号レベルエラー検出時の選局チャンネルと、前記第１の情報蓄積手段に蓄積されたすべての前記第１の選局データ中の選局チャンネルとを、前記選局手段により再度選局させ、その選局時に、前記信号レベル検出手段により検出した前記信号レベルと、前記データ取得手段で取得した前記日時データ及び環境情報データと、選局したチャンネルのデジタル放送種別と中継局とをそれぞれ対応させた第２の選局データを新たに前記情報蓄積部に蓄積する第２の情報蓄積手段と、
前記第１の選局データと前記第２の選局データとに基づいて、前記信号レベルエラー検出時の選局チャンネルに対応する前記第１の選局データ及び前記第２の選局データのいずれも前記受信可能レベル未満であることを示す第１の解析結果と、前記第２の選局データ中に前記受信可能レベル以上の選局データが存在するときは、その選局データの環境情報データを前記信号レベルエラー検出時の選局チャンネルの選局データの環境情報データとして共有させると共に、前記第１の選局データ中に前記信号レベルエラー検出時の選局チャンネルで、かつ、前記受信可能レベル以上の選局データが存在するときは、その選局データの第１の信号レベル及び環境情報データと、前記信号レベルエラー検出時に到るまでの時間における前記第２の選局データ中の前記信号レベルエラー検出時の選局チャンネルの第２の信号レベル及び前記共有した環境情報データとが同等に推移しているか否かを示す第２の解析結果とを、少なくとも生成するデータ解析手段と、
前記データ解析手段により前記第１の解析結果が得られるときは、前記信号レベルエラー検出時の選局チャンネルに対応するデジタル放送の受信用アンテナでの復帰動作を促す付加情報を生成し、前記データ解析手段により得られる前記第２の解析結果が前記同等に推移していることを示しているときは、前記信号レベルエラーが環境情報の影響に基づくものである付加情報を生成し、前記同等に推移していないことを示しているときは、前記信号レベルエラー検出時の選局チャンネルに対応するアンテナ付近の障害物の回避又はアンテナ線での復帰動作を促す付加情報を生成する付加情報生成手段と、
前記付加情報生成手段により生成された付加情報を表示する表示手段と
を有することを特徴とするデジタル放送受信機。
【発明の詳細な説明】
【技術分野】
【０００１】
本発明はデジタル放送受信機に係り、特にＢＳデジタル放送や地上デジタル放送を受信するデジタル放送受信機に関する。
【背景技術】
【０００２】
図１１は、従来のデジタル放送受信機の一例のブロック図を示す。このデジタル放送受信機は、地上デジタル放送信号とＢＳデジタル放送信号とを選択受信できる受信機である。デジタル放送に関しては、放送受信により様々なエラーケースが想定されている（例えば、非特許文献１、非特許文献２参照）。デジタル放送受信機は、このようなエラーケースについて、エラーメッセージを画面に表示することを受信機機能仕様として有している。
【０００３】
これにより、エラー状態にあるデジタル放送受信機では、ユーザがエラーメッセージを画面表示で容易に確認することでエラー内容を認識し、エラー対処方法を考える次動作に移行させることができる。デジタル放送受信機は、受信機機能仕様として定められたエラーケースの場合、エラー原因を検出し、エラー原因診断によったエラーメッセージを画面表示する。
【０００４】
次に、図１１のデジタル放送受信機における受信信号レベル不足によるエラーメッセージ表示の動作について、図１２のフローチャートを併せ参照して説明する。まず、リモートコントローラ（以下、リモコンと記す）３０を用いたユーザ操作により、ユーザによるチャンネル選局が行われると（ステップＳ１）、リモコン検出部１８がリモコン３０からのリモコン信号を検出して、チャンネル選局検出信号を制御部１６へ出力する。
【０００５】
制御部１６は、このチャンネル選局検出信号に基づいて、選局受信するデジタル放送が地上デジタル放送であるか否かを判定する（ステップＳ２）。制御部１６は、地上デジタル放送であるときは、地上デジタル放送チューナ１１によりユーザが指示するチャンネルを選局受信させて、地上デジタル放送チューナ１１が選局受信したチャンネルの地上デジタル放送信号レベルを信号レベル検出部１４にて検出させる（ステップＳ３）。
【０００６】
一方、選局受信するデジタル放送がＢＳデジタル放送であるときは、制御部１６は、ＢＳデジタル放送チューナ１２によりユーザが指示するチャンネルを選局受信させて、ＢＳデジタル放送チューナ１２が選局受信したチャンネルのＢＳデジタル放送信号レベルを信号レベル検出部１５にて検出させる（ステップＳ４）。
【０００７】
続いて、制御部１６は、信号レベル検出部１４又は１５で検出した信号レベルが、閾値より小である信号レベルエラーかどうかを判定する（ステップＳ５）。制御部１６は、上記の信号レベルが閾値より小であり、受信可能レベルでなく信号レベルエラーと判定したときは、付加情報生成部１９を制御して付加情報であるエラーメッセージをモニタへ出力させ、モニタの受信機表示画面に、そのエラーメッセージを表示させる（ステップＳ６）。
【０００８】
なお、ステップＳ５で信号レベルが閾値以上であると判定した時は、地上デジタル放送チューナ１１又はＢＳデジタル放送チューナ１２により選局受信したデジタル放送信号をＴＳデコード部１３でデコードして得られたベースバンド信号を映像・音声デコード部１７で復調し、これにより得た映像信号及び音声信号を受信機表示画面に表示する通常の受信動作を行う。
【０００９】
次に、エラーメッセージの画面表示について図１３を参照して説明する。図１３に示すように、受信機表示画面４０に表示されるエラーメッセージは、付加情報生成部１９によって生成された、例えば「信号が受信できません」という文字列４１である。ユーザは、このエラーメッセージを見て、信号レベル不足と判断することにより対処方法を考え、ユーザによる受信機復帰動作を行うことができる。
【００１０】
また、従来のデジタル放送受信機の中には、デジタル放送受信信号によって放送受信に纏わるエラーのパラメータ検出を行い、受信機状態を判定診断したエラーメッセージ「信号レベルが低下しています。アンテナの向きを確認して下さい。」を受信機表示画面に表示し、エラー状態を切り分けて対処方法をユーザに表示することで、ユーザによる受信機復帰動作を行わせるようにした受信機も知られている（例えば、特許文献１参照）。
【００１１】
【非特許文献１】ＡＲＩＢ  ＴＲ−Ｂ１４  ２.７版、電波産業会、２００６年
【非特許文献２】ＡＲＩＢ  ＴＲ−Ｂ１５  ３.６版、電波産業会、２００６年
【特許文献１】特開２０００−４９７２０号公報
【発明の開示】
【発明が解決しようとする課題】
【００１２】
しかしながら、エラーメッセージでは、受信機復帰動作を行う可能性が高まる効果が得られるが、エラー発生時の信号レベル表現に止まり、ユーザに表示した情報が限定的である。つまり、従来のデジタル放送受信機では、受信信号レベル不足に対して、ユーザはエラー発生時の限定的状態のみの情報しか得られず、何故そうなるのか理解できない不満や、受信機状態が理解できずにユーザによる受信機復帰動作が行えない場合がある。
【００１３】
本発明は以上の点に鑑みなされたもので、表示する付加情報（エラーメッセージ）により、ユーザに不快感を与えること無く受信機状態をユーザにより詳細に理解させ、またユーザに受信機復帰動作を簡単に移行させることができるデジタル放送受信機を提供することを目的とする。
【課題を解決するための手段】
【００１４】
上記の目的を達成するため、本発明は、所望のチャンネルのデジタル放送を受信する選局手段と、選局手段で選局したチャンネルのデジタル放送信号の信号レベルを検出する信号レベル検出手段と、選局手段で選局したチャンネルのデジタル放送信号をデコードして得た情報から、受信した日時データ及び環境情報データを取得するデータ取得手段と、選局手段によるデジタル放送選局時に、信号レベル検出手段により検出した信号レベルと、データ取得手段で取得した日時データ及び環境情報データと、選局したチャンネルのデジタル放送種別と中継局とをそれぞれ対応させた第１の選局データを情報蓄積部に蓄積する第１の情報蓄積手段と、信号レベル検出手段により検出した信号レベルが、所定の値の受信可能レベル未満である信号レベルエラーであるかを検出する信号レベルエラー検出手段と、信号レベルエラー検出時に、信号レベルエラー検出時の選局チャンネルと、第１の情報蓄積手段に蓄積されたすべての第１の選局データ中の選局チャンネルとを、選局手段により再度選局させ、その選局時に、信号レベル検出手段により検出した信号レベルと、データ取得手段で取得した日時データ及び環境情報データと、選局したチャンネルのデジタル放送種別と中継局とをそれぞれ対応させた第２の選局データを新たに情報蓄積部に蓄積する第２の情報蓄積手段と、データ解析手段と、付加情報生成手段と、付加情報を表示する表示手段とを有することを特徴とする。
【００１５】
ここで、上記のデータ解析手段は、第１の選局データと第２の選局データとに基づいて、信号レベルエラー検出時の選局チャンネルに対応する第１の選局データ及び第２の選局データのいずれも受信可能レベル未満であることを示す第１の解析結果と、第２の選局データ中に受信可能レベル以上の選局データが存在するときは、その選局データの環境情報データを信号レベルエラー検出時の選局チャンネルの選局データの環境情報データとして共有させると共に、第１の選局データ中に信号レベルエラー検出時の選局チャンネルで、かつ、受信可能レベル以上の選局データが存在するときは、その選局データの第１の信号レベル及び環境情報データと、信号レベルエラー検出時に到るまでの時間における第２の選局データ中の信号レベルエラー検出時の選局チャンネルの第２の信号レベル及び共有した環境情報データとが同等に推移しているか否かを示す第２の解析結果とを、少なくとも生成する。
【００１６】
上記の付加情報生成手段は、データ解析手段により第１の解析結果が得られるときは、信号レベルエラー検出時の選局チャンネルに対応するデジタル放送の受信用アンテナでの復帰動作を促す付加情報を生成し、データ解析手段により得られる第２の解析結果が同等に推移していることを示しているときは、信号レベルエラーが環境情報の影響に基づくものである付加情報を生成し、同等に推移していないことを示しているときは、信号レベルエラー検出時の選局チャンネルに対応するアンテナ付近の障害物の回避又はアンテナ線での復帰動作を促す付加情報を生成する。
【発明の効果】
【００１７】
本発明によれば、受信信号レベルの詳細な状態、対処方法を示す内容とする付加情報を生成して表示することで、ユーザに不快感を与えること無く受信機状態をユーザにより詳細に理解させ、またユーザに受信機復帰動作を簡単に移行させることができる。
【発明を実施するための最良の形態】
【００１８】
次に、本発明の一実施の形態について図面と共に詳細に説明する。
【００１９】
図１は、本発明になるデジタル放送受信機の一実施の形態のブロック図を示す。同図中、図１１と同一構成部分には同一符号を付し、その説明を省略する。
【００２０】
図１に示す本実施の形態のデジタル放送受信機２０は、従来のデジタル放送受信機１０と比較し、日時検出部２１及び環境検出部２２が追加されると共に、外部に情報蓄積部３１が接続され、また、制御部２３及び付加情報生成部２４の動作が従来と異なる。
【００２１】
まず、本実施の形態のチャンネル選局時の受信機情報蓄積処理動作について、図２のフローチャートを併せ参照して説明する。図２中、図１２の処理ステップと同一の処理ステップには同一符号を付してある。
【００２２】
まず、リモコン３０を用いたユーザ操作により、ユーザによるチャンネル選局操作が行われると、リモコン検出部１８がリモコン３０からのリモコン信号を検出して、チャンネル選局検出信号を制御部２３へ出力する。制御部２３は、このチャンネル選局検出信号に基づいて、地上デジタル放送チューナ１１又はＢＳデジタル放送チューナ１２を動作させて、指示されたチャンネルのデジタル放送信号を受信するチャンネル選局を行わせる（ステップＳ１）。このとき、受信デジタル放送信号の信号レベルの検出も行われる。
【００２３】
続いて、制御部２３は、選局受信するデジタル放送が地上デジタル放送であるか否かを判定する（ステップＳ２）。選局受信するデジタル放送が地上デジタル放送である場合、制御部２３は、地上デジタル放送チューナ１１が選局受信したチャンネルの中継局を情報蓄積部３１に保持する（ステップＳ１１）。また、制御部２３は、信号レベル検出部１４で検出した受信地上デジタル放送の受信信号レベル（以下、単に信号レベルともいう）を、受信デジタル放送種別と共に情報蓄積部３１に保持する（ステップＳ１２）。なお、ステップＳ１１で保持する地上デジタル中継局は、地上デジタル放送チューナ１１での選局周波数により判別する。
【００２４】
一方、選局受信するデジタル放送がＢＳデジタル放送である場合、制御部２３は、ＢＳデジタル放送チューナ１２が選局受信したチャンネルのＢＳデジタル放送信号レベルを信号レベル検出部１５で検出させ、その検出した信号レベルを受信デジタル放送種別と共に情報蓄積部３１に保持する（ステップＳ４）。
【００２５】
上記のステップＳ１２又はＳ４の処理後、日時検出部２１は、ＴＳデコード部１３で受信デジタル放送信号をデコードして得たＴＯＴ(Time Offset Table)情報を基に日時を検出し、その検出した日時データを保持する（ステップＳ１３）。また、環境検出部２２は、ＴＳデコード部１３でデジタル放送のデータ放送信号のデコード信号に基づいて、現在データ放送で運用されている天気情報等の環境情報を検出し、その検出した環境情報データを保持する（ステップＳ１４）。制御部２３は、上記のようにして保持された日時データと環境情報データとを情報蓄積部３１に蓄積する（ステップＳ１５）。
【００２６】
図３は、上記のチャンネル選局時に情報蓄積部３１に蓄積された情報の一例を示す。図３に示すように、情報蓄積部３１は、デジタル放送種別、中継局、信号レベル、日時、環境情報を一組として、組単位に情報取得順に並べ蓄積している。信号レベルの受信可能レベルは、例えば「４０」以上である。これらの蓄積情報は、ユーザによるチャンネル選局時やユーザ電源オフ時に取得できる。信号レベル「４０」未満の場合は受信デジタル放送信号からＴＯＴ情報や環境情報が得られないので、情報蓄積部３１は、信号レベル「４０」未満の信号の場合、日時、環境情報を記憶していない（これを図３では空欄で示す。）。
【００２７】
次に、本実施の形態の受信信号レベルエラー検出時のエラーメッセージ表示動作について、図４のフローチャートを併せ参照して説明する。
【００２８】
制御部２３は、チャンネル選局時に信号レベル検出部１４又は１５で検出した信号レベルが閾値より小であるときは、受信可能レベルでなく信号レベルエラーと判断し、図２のチャンネル選局時情報保存処理のフローチャートに従って情報蓄積部３１に保存した選局データが、情報蓄積部３１に存在するか否かを判定する（ステップＳ２１）。制御部２３は、情報蓄積部３１に選局データが保存されている場合は、その選局データを基に選局を行い（ステップＳ２２）、情報蓄積部３１に選局データが保存されていない場合は、後述するデータ解析を直ちに行う（ステップＳ３１）。
【００２９】
ステップＳ２２に続いて、制御部２３は、選局データが地上デジタル放送かＢＳデジタル放送かを判定する（ステップＳ２３）。選局データが地上デジタル放送の場合、制御部２３は、地上デジタル放送チューナ１１により選局データに基づいて選局受信したチャンネルの中継局を情報蓄積部３１に新たに保持すると共に（ステップＳ２４）、信号レベル検出部１４で検出した受信地上デジタル放送信号レベルを、デジタル放送種別と共に情報蓄積部３１に新たに保持する（ステップＳ２５）。
【００３０】
一方、制御部２３は、選局データがＢＳデジタル放送の場合、ＢＳデジタル放送チューナ１２により選局データに基づいて選局受信したＢＳデジタル放送信号の、信号レベル検出部１５で検出した信号レベルを、デジタル放送種別と共に情報蓄積部３１に新たに保持する（ステップＳ２６）。
【００３１】
上記のステップＳ２５又はＳ２６の処理後、日時検出部２１は、ＴＳデコード部１３で受信デジタル放送信号をデコードして得たＴＯＴ情報を基に日時を検出し、その検出日時データを新たに保持する（ステップＳ２７）。また、環境検出部２２は、ＴＳデコード部１３でデジタル放送のデータ放送信号のデコード信号に基づいて、現在データ放送で運用されている天気情報等の環境情報を検出し、その検出環境情報データを新たに保持する（ステップＳ２８）。制御部２３は、上記のようにして新たに保持した日時データと環境情報データとを情報蓄積部３１に蓄積する（ステップＳ２９）。
【００３２】
続いて、制御部２３は、選局データが情報蓄積部３１に他に保存されているかどうかを判定する（ステップＳ３０）。情報蓄積部３１に他の選局データが存在する場合は、ステップＳ２１に戻り、その選局データに基づいて再びステップＳ２１〜Ｓ２９の処理を行う。
【００３３】
このようにして、制御部２３は、現在のチャンネル選局時に信号レベルエラーを検出したときは、情報蓄積部３１に保存されていた全ての選局データについて選局動作をチューナ１１、１２に行わせ、その時に得られる日時データ、環境情報データ、信号レベルを情報蓄積部３１に新たに保存する。
【００３４】
図５は、図４のフローチャートに従って情報蓄積部３１に新たに蓄積された情報の一例を示す。図５に示すように、蓄積情報は、デジタル放送種別、中継局、信号レベル、日時、環境情報を一組とする情報である。なお、図５において、日時や環境情報が空欄の部分は、対応する選局チャンネルの信号レベルが受信可能信号レベルの閾値「４０」に達していないため、デジタル放送受信機が放送波から日時データと環境情報データを取得できなかったことを示す。
【００３５】
制御部２３は、図４のフローチャートに従って情報蓄積部３１に新たに蓄積した、信号レベルエラー検出時の図５の蓄積情報と、図２のフローチャートに従って情報蓄積部３１に蓄積した、信号レベルエラー検出前の図３の過去の蓄積情報とのデータ解析を行う（図４のステップＳ３１）。続いて、制御部２３は、そのデータ解析結果に基づいて付加情報生成部２４により付加情報であるエラーメッセージを生成させ、そのエラーメッセージをモニタに出力して、受信機表示画面に表示する（ステップＳ３２）。
【００３６】
次に、受信信号レベルエラー検出時の上記ステップＳ３１のデータ解析と、そのデータ解析結果に基づいて生成される付加情報について、図６のフローチャートと図７の付加情報とを参照して更に詳細に説明する。制御部２３は、まず、図４のフローチャートに従って情報蓄積部３１に新たに蓄積した現在の選局したチャンネルの信号レベルエラー検出時の図５の蓄積情報中の信号レベルが「０」であるか否かを判定する（ステップＳ４１）。
【００３７】
なお、信号レベルエラー検出は、図２のステップＳ１のチャンネル選局時に行われる。また、図６のフローチャートにおいて、最初に信号レベルが「０」であるか否かを判定するのは、地上デジタル放送チューナ１１及びＢＳデジタル放送チューナ１２の受信信号（選局データ）の信頼性を最初に判断した方が、後述する受信可能レベルの判断の信頼性が得られるためである。
【００３８】
現在の選局したチャンネルの受信デジタル放送信号レベルが「０」である場合、図３に示した過去の蓄積情報（以下、保存データともいう）を基に、信号レベルが「０」となった日時を検索して取得する（ステップＳ４２）。ここで、信号レベルが「０」のときは、受信デジタル信号から日時データを取得することはできないが、信号レベルが「０」の前後の保存選局データの日時データから信号レベルが「０」となった日時を推定して取得することができる。
【００３９】
続いて、制御部２３は、ステップＳ４２で取得した信号レベルが「０」となった日時の選局データが、地上デジタル放送のものか、ＢＳデジタル放送のものかを判定する（ステップＳ４３）。ステップＳ４３にて、ＢＳデジタル放送のものであると判定したときは、ＢＳデジタル視聴アンテナ方向の不備やアンテナ線の断線が考えられるので、制御部２３は、図７のケース３の内容の付加情報を付加情報生成部２４に生成させる（ステップＳ４４）。このケース３の付加情報は、図７に示すように、ＢＳデジタル視聴アンテナ、アンテナ線での復帰動作を促す内容である。
【００４０】
一方、ステップＳ４３にて、地上デジタル放送のものであると判定したときは、その選局データが全ての中継局について信号レベルが「０」であるか否かを判定する（ステップＳ４５）。全ての中継局について信号レベルが「０」であるときは、地上デジタル視聴アンテナ方向の不備やアンテナ線の断線が考えられるので、制御部２３は、図７のケース１の内容の付加情報を付加情報生成部２４に生成させる（ステップＳ４６）。このケース１の付加情報は、図７に示すように、地上デジタル視聴アンテナ、アンテナ線での復帰動作を促す内容である。
【００４１】
また、制御部２３は、ステップＳ４５で全ての中継局について信号レベルが「０」ではないと判定したときは、地上デジタル放送中継局単位の故障か、中継局方向の電波遮断が考えられるので、図７のケース２の内容の付加情報を付加情報生成部２４に生成させる（ステップＳ４７）。このケース２の付加情報は、図７に示すように、このチャンネルの中継局方向の遮断物の回避復帰動作を促す内容である。
【００４２】
他方、制御部２３は、ステップＳ４１にて信号レベルが「０」でないと判定したときは、信号レベルが「０」ではないが受信可能レベルに対し信号レベルが不足している場合であるので、情報蓄積部３１に新たに蓄積した信号レベルエラー検出時の図５の蓄積情報（保存データ）に受信可能レベルがあるかを判定する（ステップＳ４８）。保存データに受信可能レベルがない場合、選局チャンネルが受信可能レベルに満たない放送局であることが考えられるので、制御部２３は、図７のケース４の内容の付加情報を付加情報生成部２４に生成させる（ステップＳ４９）。このケース４の付加情報は、図７に示すように、受信信号レベルが受信可能レベルに満たないためにアンテナでの復帰動作を促す内容である。
【００４３】
一方、ステップＳ４８で図５の蓄積情報（保存データ）に受信可能レベルがあると判定した場合、図５に示した信号レベルエラー検出時に取得した環境情報データは、ほぼ同時刻の処理であるので共有し、信号レベルエラー検出前の図３に示した過去の蓄積情報（保存選局データ）と比較する（ステップＳ５０）。
【００４４】
ここでは、図５の保存データのうち、中継局Ｂの地上デジタル放送選局時は、信号レベルが「３５」であり、受信可能レベルの閾値「４０」に不足している。しかし、同じ図５の保存データ中に、１月４日１０時受信の中継局Ａの地上デジタル放送のデータが受信可能レベルとして存在しており、その環境情報データは「雨」として保存されている。そこで、制御部２３は、この環境情報データ「雨」を中継局Ｂの地上デジタル放送選局時の環境情報データとして共有する。
【００４５】
一方、制御部２３は、図３に示した過去の蓄積情報（保存データ）を参照すると、同じ中継局Ｂの地上デジタル放送のうち受信可能レベルの閾値「４０」以上で受信できた保存データがあり、その放送の最後の日時である１月１日２１時の「曇」の環境情報データを共有する。そして、制御部２３は、上記のようにして図５の保存データから得た、中継局Ｂの地上デジタル放送の現在の環境情報データ「雨」と、図３に示した過去の保存データから得た、中継局Ｂの地上デジタル放送の過去の環境情報データ「曇」とを比較する（以上、ステップＳ４８、Ｓ５０）。これにより、制御部２３は、過去に信号レベル「４０」で受信できた選局チャンネルである中継局Ｂの地上デジタル放送が、現在、図５のように信号レベル「３５」で受信可能レベルでないのは、環境情報が「曇」から「雨」に変化したためであると判断することができる。
【００４６】
続いて、制御部２３は、選局チャンネルが地上デジタル放送かＢＳデジタル放送かを判定する（ステップＳ５１）。ＢＳデジタル放送選局時の場合は、環境情報に対するＢＳデジタル放送信号レベルの推移が同等であれば環境の影響によるものであり、それらに相違があればＢＳ視聴アンテナまわりの障害物、アンテナ線の経年劣化が考えられるので、制御部２３は、図７のケース７の内容の付加情報を付加情報生成部２４に生成させる（ステップＳ５２）。このケース７の付加情報は、選局チャンネルのＢＳデジタル放送信号レベルの環境情報に対する推移が同等であれば、降雨等により現在視聴できない信号レベルであることを示す内容であり、選局チャンネルのＢＳデジタル放送信号レベルと環境情報の推移に相違があれば、ＢＳデジタル視聴アンテナ付近の障害物、アンテナ線での復帰動作を促す内容である。
【００４７】
一方、制御部２３は、ステップＳ５１で選局チャンネルが地上デジタル放送であると判定したときは、保存データに基づいて選局チャンネル以外の他の中継局の信号レベル状況も選局チャンネルと同様かどうかを判定する（ステップＳ５３）。同様であれば、制御部２３は、環境情報の推移等が同等であるか否かのステップＳ５０での比較結果に応じて図７のケース５の内容の付加情報を付加情報生成部２４に生成させ（ステップＳ５４）、同様でなければ、環境情報の推移等が同等であるか否かのステップＳ５０での比較結果に応じて図７のケース６の内容の付加情報を付加情報生成部２４に生成させる（ステップＳ５５）。
【００４８】
上記のケース５の付加情報は、選局チャンネルの地上デジタル放送信号レベルの環境情報に対する推移が同等であれば、降雨等により現在視聴できない信号レベルであることを示す内容であり、選局チャンネルの地上デジタル放送信号レベルと環境情報の推移に相違があれば、地上デジタル視聴アンテナ付近の障害物、アンテナ線での復帰動作を促す内容である。また、上記のケース６の付加情報は、選局チャンネルの地上デジタル放送信号レベルの環境情報に対する推移が同等であれば、降雨等により現在視聴できない信号レベルであることを示す内容であり、選局チャンネルの地上デジタル放送信号レベルの環境情報に対する推移に相違があれば、選局チャンネルの地上デジタル中継局方向の障害物回避復帰動作を促す内容である。
【００４９】
このように、本実施の形態では、デジタル放送と中継局で区分けし（ステップＳ４３、ステップＳ４５、ステップＳ５１、ステップＳ５３）、表示する付加情報（エラーメッセージ）を区分けして生成し、以下のように付加情報（エラーメッセージ）を画面に表示する。
【００５０】
図８は、ケース３の付加情報（エラーメッセージ）を生成した場合の画面表示の一例を示す。これは、例えば、信号レベルエラー検出時の選局データが図５のＢＳデジタル放送（信号レベル０）であり、図３の蓄積情報を基に解析した結果、図６のステップ４４により図７のケース３の付加情報（エラーメッセージ）を生成した場合の画面表示例である。
【００５１】
図７に示すケース３の付加情報（エラーメッセージ）は、ＢＳデジタル視聴アンテナ方向不備、アンテナ線の断線が考えられるので、表示、ＢＳデジタル視聴アンテナ、アンテナ線での復帰動作を促すために、図８に示すように、「ＢＳデジタル放送受信が１月３日  １４：００から不可能です。ＢＳアンテナ、アンテナ線を確認下さい。」という付加情報（エラーメッセージ）がモニタに表示される。ここで、付加情報（エラーメッセージ）中の日時は、図６のステップＳ４２で取得した日時である。
【００５２】
図９は、ケース４の付加情報（エラーメッセージ）を生成した場合の画面表示の一例を示す。例えば、信号レベルエラー検出時の選局データが中継局Ｃの地上デジタル放送の場合、図５の中継局Ｃの地上デジタル放送選局時は信号レベルが「２０」であり、受信可能レベルの閾値「４０」に不足している。そこで、制御部２３は、図３に示した過去の蓄積情報（保存データ）を参照すると、同じ中継局Ｃの地上デジタル放送のうち受信可能レベルの閾値「４０」以上で受信できた保存選局データが存在しないので、図７のケース４の内容の付加情報を付加情報生成部２４に生成させる（ステップＳ４８、Ｓ４９）。
【００５３】
このケース４の場合は、選局したチャンネルの信号レベルが、受信可能レベルに満たない場合であるので、図９に示すように、「中継局Ｃの受信信号レベルが不足しています。アンテナ方向を確認して下さい。」という付加情報（エラーメッセージ）をモニタに表示することで、ユーザにアンテナでの復帰動作を促すことができる。
【００５４】
図１０は、ケース６の付加情報（エラーメッセージ）を生成した場合の画面表示の一例を示す。例えば、信号レベルエラー検出時の選局データが図５の地上デジタル放送中継局Ｂの場合は、信号レベルが「３５」であり、受信可能レベルの閾値「４０」に不足している。そこで、図３に示した過去の蓄積情報（保存データ）を参照すると、信号レベル「４０」以上で中継局Ｂの地上デジタル放送を受信できたときの信号レベルは「４０」であるのに対し、他の中継局である中継局Ａの地上デジタル放送が信号レベル「６０」で選局されているので、他の中継局の信号レベル状況が同様でないと判断し、図７のケース６の内容の付加情報（エラーメッセージ）を付加情報生成部２４に生成させる（ステップＳ５３のNo、ステップＳ５５）。
【００５５】
ここで、前述したように、ステップＳ５０での比較により、制御部２３は、過去に信号レベル「４０」で受信できた選局チャンネルである中継局Ｂの地上デジタル放送が、現在、図５のように信号レベル「３５」で受信可能レベルでないのは、環境情報が「曇」から「雨」に変化したためであると判断できる。
【００５６】
一方、図３の保存データでは、受信した中継局Ｂの地上デジタル放送の信号レベルと環境情報との推移は、（４５；晴）、（４０；曇）、（３５；−）、（３５；−）、（３５；−）である（−は検出不可の場合）。これにより、制御部２３は、受信した中継局Ｂの地上デジタル放送の受信信号レベルの環境情報に対する推移は、同等であると判断できる。
【００５７】
よって、この場合は、図７のケース６の上段の場合であり、図１０に示すように、「降雨等により現在受信信号レベルが不足しています。」という付加情報（エラーメッセージ）をモニタに表示することで、中継局Ｂの地上デジタル放送を受信できない理由をユーザに知らせることができる。
【００５８】
このように、本実施の形態によれば、ＢＳデジタル放送及び地上デジタル放送を選択受信するデジタル放送受信機の受信機機能仕様における受信信号レベルを、日時、環境情報と共にデジタル放送受信機に蓄積し、受信信号レベル不足が発生した場合、発生時のデータとデジタル放送受信機に蓄積したデータを基に、受信信号レベルの詳細な状態、対処方法を示す内容のエラーメッセージを生成して表示するようにしたため、ユーザに不快感を与えること無く受信機状態をより詳細に理解させ、これによりユーザに受信機復帰動作を簡単に移行させることができる。
【図面の簡単な説明】
【００５９】
【図１】本発明のデジタル放送受信機の一実施の形態のブロック図である。
【図２】本発明によるチャンネル選局時の情報蓄積処理の動作説明用フローチャートである。
【図３】本発明によるチャンネル選局時の情報蓄積処理で情報蓄積されたデータの一例を示す図である。
【図４】本発明による受信信号レベルエラー検出時のエラーメッセージ表示動作説明用フローチャートである。
【図５】本発明による受信信号レベルエラー検出時に情報蓄積部に蓄積されたデータの一例を示す図である。
【図６】本発明による受信信号レベルエラー検出時のデータ解析動作説明用フローチャートである。
【図７】図１中の付加情報生成部によるエラーメッセージ表示の各例を示す図である。
【図８】図６と図７のケース３となった場合の画面表示の一例を示す図である。
【図９】図６と図７のケース４となった場合の画面表示の一例を示す図である。
【図１０】図６と図７のケース５となった場合の画面表示の一例を示す図である。
【図１１】従来のデジタル放送受信機の一例のブロック図である。
【図１２】従来の受信信号レベル不足によるエラーメッセージ表示動作説明用フローチャートである。
【図１３】従来の受信信号レベル不足によるエラーメッセージ画面表示の一例を示す図である。
【符号の説明】
【００６０】
１１  地上デジタル放送チューナ
１２  ＢＳデジタル放送チューナ
１３  ＴＳデコード部
１４、１５  信号レベル検出部
１７  映像・音声デコード部
１８  リモコン検出部
２０  デジタル放送受信機
２１  日時検出部
２２  環境検出部
２３  制御部
２４  付加情報生成部
３０  リモートコントローラ（リモコン）
３１  情報蓄積部
【図１】
2009188843.tif 000003
【図２】
2009188843.tif 000004
【図３】
2009188843.tif 000005
【図４】
2009188843.tif 000006
【図５】
2009188843.tif 000007
【図６】
2009188843.tif 000008
【図７】
2009188843.tif 000009
【図８】
2009188843.tif 000010
【図９】
2009188843.tif 000011
【図１０】
2009188843.tif 000012
【図１１】
2009188843.tif 000013
【図１２】
2009188843.tif 000014
【図１３】
2009188843.tif 000015